(57)【要約】【課題】    本考案は、果実等の摘粒作業において、摘粒の破損及び破損による果汁の流出を防止し、かつ摘粒作業の疲労を軽減する摘実器具を提供するものである。【解決手段】内側を凹面状にした幅広の掴み部を操作部に対して傾斜させ、かつ  掴み部の首部を細くして構成した摘実器具。【選択図】図１      
0003113466.tif 000002
【実用新案登録請求の範囲】
【請求項１】
ピンセット状の把持部材の先端に掴み部を形成し、該掴み部で適宜結実を掴持し、捻って摘み取るための器具であって、前記掴み部の結実を掴持する部分を幅広にし、結実の外形状に合わすよう結実を掴持する部分の内側を、凹状に成型したことを特徴とする野菜、果樹等の摘粒器具。
【請求項２】
適宜結実を掴持し、捻って摘み取る器具であって、作業者が手で操作する部分に対して、結実掴持部を角度（θ）を付けて鎌首状に屈曲形成したことを特徴とする請求項１記載の野菜、果樹等の摘粒器具。
【請求項３】
適宜結実を掴持し、捻って摘み取る工具であって、結実を掴持する部分の先端部をなだらかに先細にし、また、結実を掴持する部分の首部を細くしたことを特徴とする請求項１，２記載の野菜、果樹等の摘粒器具。
【考案の詳細な説明】
【技術分野】
【０００１】
本考案は、野菜及び果樹の出荷品質を管理するため成長中途及び、出荷直前の野菜及び果樹等の結実を除去する作業において、該結実を除去する果菜粒の摘粒作業に使用する野菜、果樹等の摘粒器具に関するものである。
【背景技術】
【０００２】
従来、たとえば、ブドウ栽培においては、結実品質の向上は重要であり、なかでも結実の糖度、着色などの度合いと結実量とは密接な関係にあり、結実過多は品質を劣悪にすることは既に知られている。特に結実過多は着色を悪くしたり、裂果の原因となる。このため、個々の樹の状態や、その年の気象の状況を見て、より効率よく収量を調節する必要がある。収量は「房数×房重」によって算出され、房重は「粒数×粒重」によって算出でき、房の大きさの調節（摘粒）と数の調節(摘房)で行われる。
【０００３】
特に、ぶどうの場合における結実を間引き除去する摘粒作業は、結実数を制限して目標とする大きさにする他、房の形状を整えると共に、結実の大きさを揃え、商品価値を高める上で大切な作業となっている。この摘粒作業は、ぶどうの栽培の中でも最も労力を要する作業であり、房数を制限（摘房）した後に実施される。
【０００４】
このような摘粒作業は、ぶどうや桃、梨、りんご、梅、サクランボ、などの果実の他、トマト、ナス、スイカなどの野菜の栽培にも行われている非常に大切な作業である。例えば、多数の果粒が房状に付いた葡萄から、未成熟な小果粒を切除したり、余分な果粒を切除したりする、摘粒作業に用いる摘粒ハサミは特許文献１に示される。
【特許文献１】特開平９−１３５６３０号公報
【考案の開示】
【考案が解決しようとする課題】
【０００５】
ところが、これら野菜、果樹等の摘粒作業は特許文献１のようにハサミで行うとか或いはピンセットなどを用いて摘粒する実を一つずつ切り落したり摘み取ることによって行なわれているのが一般的である。特にぶどうの場合は結実があまり大きくない時期に摘粒作業を行うことで、葡萄栽培においては、葡萄中の果粒の大きさを均一に整えたり、多数の果粒が房状に付いた葡萄の形を整えたりするために、適当な時期に、多数の果粒が房状に付いた葡萄中から、未成熟な小果粒を切除したり、余分な果粒を切除したりする、摘粒作業が行われる。そのため、ハサミが入りやすく作業能率が高くなるものの、結実が大きくなってしまうと、ハサミが入りにくく作業性が著しく低下する問題がある。このような場合には、摘粒出来なくなったり、残さなければならない結実に傷を付けてしまう問題が生じる。また一般のピンセットは、医療用に適した形状のため、摘実を挟持する部分が細く、先端内側表面には滑り止めの凹凸が設けられている。
【０００６】
このため、ぶどうの摘粒をする場合、摘粒をつぶす場合が多い、摘粒がつぶれると、果汁が流出し、残さなければならない結実を汚染させ、出荷品質を低下させることなる、また、先端部が鋭利なため、隣接する残さなければならない結実に傷をつけ、この傷が残ったまま結実が成長して出荷品質を低下させるため、慎重な作業を要求され、熟練を要す作業となっている。
【０００７】
また、従来のピンセットは、手で操作する部分と摘粒を掴持する部分が一直線上にあり、ぶどうの場合、作業者の頭上の房の摘粒を行うには、ピンセットを房に直交するような姿勢で摘粒するため、摘粒の量の多さとで、過度な疲労を作業者に与えていた。
【課題を解決するための手段】
【０００８】
そこで本考案者は、上記問題に鑑み鋭意研究の結果、本考案をなしえたものであり、その特徴とするところは、摘粒作業に多く使用されているピンセットの先端部を摘粒に適した形状に考案したもので、結実の損傷、果汁による汚染を防止し、操作性の良い摘粒器具を提供するものである。
【０００９】
本考案は、第一に摘粒を挟持する部分を幅広にし、結実の外形状に合わすよう内面部を凹状に成型したことにより、摘粒をつかんだ場合、摘粒の挟持面積が従来のピンセットに比べ大幅に広くなり、摘粒に与える挟持力による挟持面圧力が著しく低下することにより、摘粒の破損を防止できる。
【００１０】
第２に  作業者が従来のピンセットで摘粒する場合、挟持操作する部分と、摘粒を掴む部分が一直線上にあるため、摘粒の上下の結実にピンセットが接触しないよう、ぶどうの房に直交するような作業姿勢が必要で、作業者の頭上の摘粒を行う場合、極端に手を持ち上げなければならなかった。
本考案においては図１に示すよう、角度「θ」を付けて鎌首状に屈曲形成したことにより、操作時の手の高さを下げての摘粒姿勢が可能となり、操作が容易となり、多量な摘粒の処理に疲れを伴なわず作業が出来る。
【００１１】
第３に、ぶどうの摘粒時は一般に結実が大きくなり、結実同士が密着している場合が多く、摘粒を掴むため、隣接した結実の間に従来の先端が鋭利な尖ったピンセットを差し込む必要があった。このため、ピンセット先端で結実に傷をつけることなり、ぶどう出荷品質を低下する場合が多かった。本提案は、図１に示す先端部（７）のように、請求項１に記載の結実を掴持する部分を幅広にしてあるため先端部がなだらかにR状に整形ができ、隣接結実の間に差し込んで結実と接触しても、結実を損傷することもなく、摘粒作業が容易に行えることとなる。また、摘粒を掴む部分の「首部」が細くしてあり、摘粒を挟持する場合、過大な挟持力で挟持しても、「首部」が細いため弾性変形し、挟持力を逃がし摘粒を破損することなく最適な挟持力で摘粒を掴むことが出来る。
【考案の効果】
【００１２】
請求項１の考案によれば、結実を掴持する部分を幅広にし、結実の外形状にあわすよう内側を凹状に成型したことにより、摘粒を掴む部分の摘粒との接触面積が大きく、誤って大きな挟持荷重を作用させても、摘粒が破損し、果汁の流出することが防止できる。このため、従来熟練を要した摘粒作業が未熟な作業者でも容易に出来るようになることとなる。
【００１３】
請求項２の考案によれば、結実掴持部を角度（θ）を付けて鎌首状に屈曲形成したことにより、角度のついてない従来のピンセットに比べ、００１４０で示すよう、作業者は手元を下げて作業することが出来ることとなり、大幅な作業疲労を防止できることとなる。
【００１４】
請求項３の考案によれば、結実を掴持する部分の  先端部をなだらかに先細にし、また、結実を掴持する部分の操作部分側も細くしたことにより、隣接結実の間に差し込んでも結実を損傷することもなく、摘粒作業が容易に行えることとなる。また、摘粒を挟持する場合、過大な挟持力で挟持しても、「首部」が細いため弾性変形し、摘粒を破損することなく最適な挟持力で摘粒を掴むことが出来る。このため未熟な作業者が過度な荷重で摘粒を掴んでも、請求項１の効果をより一層高めることが出来る。
【考案を実施するための最良の形態】
【００１５】
以下、本考案の実施形態を図面に基づいて詳細に説明する。
図１〜２に示すように、本考案の摘粒器具Ｐは、左右一対の弾性体で構成する把持部材（１）、（２）を基部（３）で一体的に接合構成して、ピンセット状に形成されており、作業者の指で、把持部材（１）、（２）の操作をする部分（４）を摘むことにより、先端部の間隔（５）の距離を狭くすることが出来る、また、摘む力を解除すると把持部材（１）、（２）の弾性力で間隔（５）の距離を元に戻すことが出来る。
【００１６】
前記把持部材（１）、（２）の先端部には、摘粒の掴み部（６）が一体的に成型されている。この掴み部（６）は外側に膨出した皿状若しくはスプーン状に形成されており、その上下幅は摘粒の大きさに合わせた広幅(B２)の形状にし、その断面は、摘粒の外形状に沿うことを目的にして図３に示すように、外側に膨出した凹面（R）の形状に成形してある。
【００１７】
該掴み部（６）の首部(B１)は、摘粒を掴んだとき過大な荷重が作用しても、弾性変形して摘粒への摘み荷重を調節するように部材（１）、（２）の幅(B４)、及び、掴み部分（６）に対して極端に首部(B１)が狭くした形状となっている。
【実施例】
【００１８】
図１〜図２に、本考案に係る摘粒器具Ｐの実施例を示す。
左右一対の弾性体で構成する把持部材（１）、（２）を基部（３）で一体的に構成し、基部（３）から先端に至る途中において図１に示すように、作業者が摘粒を摘む操作をする部分（４）は、摘んだとき作業者の手等に痛み等を和らげるため、幅(B４)を広くしている。
【００１９】
そして、該操作をする部分（４）より摘実を掴む掴み部（６）に向かって把持部材（１）、（２）の幅を徐々に狭くし、掴み部（６）の首部で最小の幅（B１）に成形し、これから掴み部（６）の幅(B２)まで、なだらかに幅を広げ、先端部（７）に向かってなだらかに幅を狭め、先端部（７）は鋭利にならないよう半円状の形状にしている。
【００２０】
また、掴み部（６）は、摘む操作をする部分（４）に対して角度（θ）傾けて鎌首状に屈曲形成してあり、摘む操作の容易化が図られている。
【００２１】
摘む操作をする部分（４）には、滑りを防止して摘む操作が確実で楽になるよう筋状形態の滑り止めの凹凸（Ｔ）が複数設けられている。
また、下部（３）部には、作業者の首等から紐等で吊り下げれるよう紐を固定する金具(８)が設けてある。
【００２２】
実際に使用する使い方について説明をする。
図８に示すよう、作業者は、本器具Pの操作する部分（４）を親指と人差し指で、摘粒を挟んだり、離したり、部材（１）、（２）の距離（５）が可変できるように保持する。作業者は目視で、もう一方の手でぶどうの房を持ち、回転させながら摘粒すべき結実を選択し、隣接する結実に傷を付けないよう、摘粒を本器具Pの掴み部（６）で摘粒を挟み、捻るとともに引っ張るようにして摘粒を取る。一般にぶどうは棚作り栽培が多く、ぶどうの房は作業者の目の高さ以上の高さに作られており、従来のピンセットでは、作業者は両手を肩の高さ以上に持ち上げた作業姿勢を強いられていた。本考案の摘粒器具は操作する部分（４）と掴み部（６）とが角度（θ）鎌首状に屈曲形成されているため、手元を下げた作業姿勢で作業することが出来、作業疲れが軽減されている。
【００２３】
また、従来のピンセットの先端部（B３）は、幅が狭く、先端部が鋭利なため、密着した結実の中に差し込む場合、隣接結実に傷をつける可能性が高く、また摘粒を掴んだ場合、摘粒を掴みすぎて摘粒を潰す場合が多々発生していた。本考案の摘粒器具は、掴み部（６）部の先端部（７）がなだらかにR状に成形してあるため、密着した結実の中の摘粒を掴む場合、掴み部（６）を押し込んでも隣接する結実を痛めることがない。また、摘粒を掴む場合、つかみ力が多少大きくなっても、掴み部（６）の幅(B2)が広いため、摘粒が潰れることがなく、従来、熟練を要した細心の注意が必要な摘粒作業が、素人の作業者でも容易に摘粒作業が出来ることから、繁忙期の摘粒作業の作業者確保が容易となる。
【００２４】
以上説明したように、本考案の摘粒器具によれば、多数の果粒が密集して房状に付いた葡萄中から、未成熟な小果粒や、余分な果粒を、容易かつ的確に摘粒で きる。そして、葡萄の果粒の大きさを均一に整えたり、葡萄の形状を整えたりする、摘粒作業の大幅な容易化、迅速化が図れる。 
また、葡萄の摘粒作業を行う際に、葡萄中の残すべき果粒を傷付けてしまったり、葡萄中の残すべき果粒を誤って摘粒してしまったりするのを、的確に防ぐことができる。
【産業上の利用可能性】
【００２５】
本考案は、ぶどうに限らず、桃、なし、りんご、梅、さくらんぼ、の果実のほかトマト、ナス、スイカなど野菜栽培にも応用できるものである。
【図面の簡単な説明】
【００２６】
【図１】本考案の平面図である。
【図２】図１の側面図である。
【図３】図１に示すA-A部の断面である。
【図４】本考案の工具で摘実を掴んだ状態を示す図である。
【図５】従来使用のピンセットで摘実を掴んだ状態を示す図である。
【図６】従来使用しているピンセットの平面図である。
【図７】従来使用しているピンセットの側面図である。
【図８】本考案の工具の使用状況の図である。
【図９】従来使用しているピンセットの使用状況の図である。
【符号の説明】
【００２７】
（６）  掴み部
（θ）  操作する部分と掴み部(6）の傾き角度
（B２）掴み部の幅
（７）  掴み部の先端部
（B４）操作する部分の幅
（８）金具
（１）部材
（２）部材
（３）下部
（５）（１）、（２）間の距離
（R）掴み部の凹面
（B３）従来ピンセットの先端幅
【図１】
0003113466.tif 000003
【図２】
0003113466.tif 000004
【図３】
0003113466.tif 000005
【図４】
0003113466.tif 000006
【図５】
0003113466.tif 000007
【図６】
0003113466.tif 000008
【図７】
0003113466.tif 000009
【図８】
0003113466.tif 000010
【図９】
0003113466.tif 000011